(57)【要約】【課題】被検体の乳房のＣＢＣＴによるＸ線撮影において、Ｘ線の散乱や吸収を抑制するとともに、乳房が乳房Ｘ線撮影装置に設けられる機器等に接触することを防止する。【解決手段】乳房Ｘ線撮影装置１００ａは、Ｘ線管球１５と、Ｘ線管球１５に対向して設けられＸ線管球１５が照射するＸ線を検出するＸ線検出器１８と、被検体の乳房１を挿入する開口部１２を有するハウジング１１と、ハウジング１１の開口部１２から挿入された乳房１を挿入可能でハウジング１１の内部から開口部１２を塞ぎ、Ｘ線管球１５およびＸ線検出器１８と一体に回転する内部カバー２と、を有し、Ｘ線管球１５およびＸ線検出器１８を被検体の乳房１の周りで回転させながらＸ線画像を撮影する。【選択図】図１
2017012609.tif 000002
【特許請求の範囲】
【請求項１】
Ｘ線源と、前記Ｘ線源に対向して設けられ前記Ｘ線源が照射するＸ線を検出するＸ線検出器と、を有し、前記Ｘ線源および前記Ｘ線検出器を被検体の乳房の周りで回転させながら前記乳房のＸ線画像を撮影する乳房Ｘ線撮影装置であって、
前記乳房を挿入する開口部を有する筐体と、
前記開口部から挿入された前記乳房を挿入可能で、前記筐体の内部から前記開口部を塞ぎ、前記Ｘ線源および前記Ｘ線検出器と一体に回転する内部カバーと、
を有することを特徴とする乳房Ｘ線撮影装置。
【請求項２】
前記内部カバーは、
前記Ｘ線源のＸ線照射野の外側に設けられる保護カバーと、
前記Ｘ線源の前記Ｘ線照射野の内側において前記乳房が挿入される位置よりも前記Ｘ線源に近い位置に設けられるＸ線源側カバーと、
前記Ｘ線源および前記Ｘ線検出器の回転中心を挟んで前記Ｘ線源側カバーに対向する位置に設けられるＸ線検出器側カバーと
を有することを特徴とする請求項１に記載の乳房Ｘ線撮影装置。
【請求項３】
前記Ｘ線源側カバーは、前記Ｘ線源から照射されるＸ線に含まれる軟Ｘ線を減弱するフィルタ機能部を有することを特徴とする請求項２に記載の乳房Ｘ線撮影装置。
【請求項４】
前記Ｘ線源から照射されるＸ線に含まれる軟Ｘ線を減弱するフィルタをさらに有し、
前記フィルタは前記Ｘ線源側カバーに着脱可能に設けられることを特徴とする請求項２に記載の乳房Ｘ線撮影装置。
【請求項５】
前記Ｘ線検出器は、前記Ｘ線検出器側カバーに着脱可能に設けられることを特徴とする請求項２から４のいずれか１項に記載の乳房Ｘ線撮影装置。
【請求項６】
前記Ｘ線源が照射するＸ線の散乱線を除去するグリッドをさらに有し、
前記グリッドは前記Ｘ線源側カバーに着脱可能に設けられることを特徴とする請求項２から４のいずれか１項に記載の乳房Ｘ線撮影装置。
【請求項７】
前記内部カバーは、前記Ｘ線源および前記Ｘ線検出器の回転中心と同軸の円筒型に形成されることを特徴とする請求項１から６のいずれか１項に記載の乳房Ｘ線撮影装置。
【請求項８】
前記内部カバーには、開閉可能な開閉カバーが設けられることを特徴とする請求項１から７のいずれか１項に記載の乳房Ｘ線撮影装置。
【請求項９】
前記内部カバーに挿入された前記被検体の乳房を撮影する撮影手段をさらに有し、
前記撮影手段は、前記Ｘ線源が照射するＸ線照射野の外側に、前記Ｘ線源と前記Ｘ線検出器と前記内部カバーと一体に回転するように設けられることを特徴とする請求項１から８のいずれか１項に記載の乳房Ｘ線撮影装置。
【請求項１０】
前記筐体に設けられる前記開口部に前記筐体の外側から挿抜可能な保持カバーをさらに有することを特徴とする請求項１から９のいずれか１項に記載の乳房Ｘ線撮影装置。
【発明の詳細な説明】
【技術分野】
【０００１】
本発明は、乳房Ｘ線撮影装置に関するものである。
【背景技術】
【０００２】
特許文献１と特許文献２には、Ｘ線源とＸ線検出器とを被検体の乳房の周りで回転させながら被検体の乳房の断層画像を撮影する乳房Ｘ線撮影装置が開示されている。このような乳房Ｘ線撮影装置は、駆動系や制御系などの多くの機器を有するため、使用者（撮影技師等）や被検者が不用意にこれらの機器に接触しないようにすることが好ましい。特に、乳房Ｘ線撮影装置の内部に被検体の乳房を挿入してＸ線画像の撮影を行う構成では、被検体の乳房を挿入するための開口部が設けられるため、この開口部を通じて内部に設けられる機器に接触しないようにすることが好ましい。そこで、使用者や被検者が乳房Ｘ線撮影装置に設けられる機器に触れないように、機器を覆うカバーをこの開口部に設ける構成が考えられる。
【先行技術文献】
【特許文献】
【０００３】
【特許文献１】特表２０１３−５３８６６８号公報
【特許文献２】特開２０１０−６９２４１号公報
【発明の概要】
【発明が解決しようとする課題】
【０００４】
しかしながら、被検体の乳房を挿入するための開口部にカバーを固定して設ける構成では、Ｘ線源とＸ線検出器の回転角によっては、カバーとＸ線源およびＸ線検出器との位置関係が変化し、カバーが被検体の乳房を撮影するためのＸ線照射野に入り込むことがある。そうすると、Ｘ線源およびＸ線検出器の回転角度によっては、Ｘ線照射に入り込んだカバーによりＸ線が吸収されたり散乱線が発生したりして、撮影される画像の画質が低下する。このように、Ｘ線源およびＸ線検出器の回転に伴い、撮影されるＸ線画像の画質が変動することがある。上記実情に鑑み、本発明が解決しようとする課題は、Ｘ線源とＸ線検出器を被検体の乳房の周りで回転させながら乳房のＸ線画像を撮影する乳房Ｘ線撮影装置において、使用者や被検者が装置の内部に設けられる機器に接触することを防止しつつ、Ｘ線源およびＸ線検出器の回転に伴うＸ線画像の画質の変動、特に低下を防止することである。
【課題を解決するための手段】
【０００５】
上記課題を解決するために、Ｘ線源と、前記Ｘ線源に対向して設けられ前記Ｘ線源が照射するＸ線を検出するＸ線検出器と、を有し、前記Ｘ線源および前記Ｘ線検出器を被検体の乳房の周りで回転させながら前記乳房のＸ線画像を撮影する乳房Ｘ線撮影装置であって、前記乳房を挿入する開口部を有する筐体と、前記開口部から挿入された前記乳房を挿入可能で、前記筐体の内部から前記開口部を塞ぎ、前記Ｘ線源および前記Ｘ線検出器と一体に回転する内部カバーと、を有することを特徴とする。
【発明の効果】
【０００６】
本発明によれば、開口部を覆う内部カバーをＸ線源とＸ線検出器と一体に回転する構成とすることにより、これらの回転角度に係わらず、内部カバーとＸ線源およびＸ線検出器との位置関係が一定に保たれる。このため、Ｘ線源およびＸ線検出器が回転しても、撮影されるＸ線画像の画質の変動が抑制される。特に、Ｘ線源およびＸ線検出器が回転しても、内部カバーがＸ線照射野の内側に入り込むことがないから、撮影されるＸ線画像の画質の低下を防止できる。
【図面の簡単な説明】
【０００７】
【図１】第１の実施形態の乳房Ｘ線撮影装置の構成例を示す図である。
【図２】第１の実施形態の乳房Ｘ線撮影装置の変形例を示す図である。
【図３】第２〜第４の実施形態の乳房Ｘ線撮影装置の構成例を示す図である。
【発明を実施するための形態】
【０００８】
以下に、本発明の各実施形態を、添付の図面に基づいて詳細に説明する。本発明の各実施形態の乳房Ｘ線撮影装置は、伏臥位姿勢から立位姿勢までの撮影形態に対応する。
【０００９】
（第１の実施形態）
図１（ａ）（ｂ）は、本発明の第１の実施形態の乳房Ｘ線撮影装置１００ａの要部の構成例を示す模式図である。なお、図１（ａ）は図１（ｂ）のａ−ａ線断面図であり、図１（ｂ）は図１（ａ）のｂ−ｂ線断面図である。また、図１（ａ）（ｂ）は、乳房Ｘ線撮影装置１００ａを用いた被験体の乳房１の撮影状況を表しており、乳房１が回転円板１４の略回転中心軸Ｏ上の位置に配置されている状態を表している。
【００１０】
乳房Ｘ線撮影装置１００ａは、装置の筐体であるハウジング１１を有する。ハウジング１１における被検体に向ける側（図１（ｂ）においては左側）の面の中央部には、被検体の乳房１を挿入するための開口部１２が設けられている。この開口部１２は、ハウジング１１の内外を連通する。開口部１２の形状は特に限定されないが、ここでは略円形である構成を示す。また、ハウジング１１の内部には、回転駆動系１３と、この回転駆動系１３の回転動力によって回転する回転円板１４とが配置される。回転駆動系１３には、回転動力を出力する各種モータが適用できる。なお、図１（ａ）（ｂ）に示すように、筐体であるハウジング１１に設けられる開口部１２と、回転円板１４の回転中心軸Ｏとは、略同軸に設けられる。回転円板１４には、撮影系として、撮影のためのＸ線照射を行うＸ線源の例であるＸ線管球１５と、Ｘ線管球１５が照射して被検体の乳房１を透過したＸ線を検出するＸ線検出器１８とが配置される。Ｘ線管球１５とＸ線検出器１８とは、回転円板１４の回転中心軸Ｏの方向視において、この回転中心軸Ｏを挟んで離れた位置に対向するように配置され、回転円板１４と一体に回転する。なお、Ｘ線管球１５とＸ線検出器１８の構成は特に限定されず、公知の各種Ｘ線管球（Ｘ線源）とＸ線検出器が適用できる。
【００１１】
さらに、回転円板１４には、内部カバー２が一体に回転するように設けられる。内部カバー２は、筐体であるハウジング１１の開口部１２の内側に設けられ、この開口部１２を内側から塞ぐ。これは、ハウジング１１の開口部１２から内部側には、Ｘ線管球１５や電源系２１や制御系２２などが配置されていることから、被検者や撮影技師がハウジング１１の内部の機器や部材等に接触しないようにするために、内部カバー２が設けられる。また、内部カバー２によって、ハウジング１１の内部への異物侵入を防止する。内部カバー２は、保護カバー２７と、フィルタ機能部２６と、Ｘ線検出器側カバー２８とで構成される。そして、内部カバー２は、被検体の乳房１を挿入可能な構成を有する。具体的には、内部カバー２は、被検体の乳房１を挿入可能なように、全体として、一側が開口する有底の箱状の構成を有し、開口する側がハウジング１１の内側から開口部１２の側に向くように設けられる。このような構成によれば、ハウジング１１の外側から開口部１２を通じて内部カバー２の内側に被検体の乳房１を挿入可能であるとともに、内部カバー２によって、ハウジング１１に設けられる開口部１２が内側から全周にわたって塞がれる構成となる。
【００１２】
内部カバー２は、保護カバー２７と、Ｘ線源側カバー２９と、Ｘ線検出器側カバー２８とで構成される。保護カバー２７は、ハウジング１１の開口部１２の側と、Ｘ線管球１５の側と、Ｘ線検出器１８の側とが開口しており、Ｘ線管球１５が照射するＸ線の光軸方向に直角な断面が略「Ｕ」字状の形状に形成される。例えば、保護カバー２７は、平板状の底板部２７１と、同じく平板状の２つの側板部２７２とで構成される。また、保護カバー２７は、Ｘ線管球１５のＸ線照射野１７に干渉しないように構成される。すなわち、保護カバー２７を構成する底板部２７１と側板部２７２とは、Ｘ線管球１５のＸ線管球焦点１６とＸ線検出器１８との間に入り込む部分（Ｘ線照射野１７に入り込む部分）が存在しないように構成される。例えば、図１（ａ）（ｂ）に示すように、Ｘ線管球１５の側からＸ線検出器１８の側に向かうにしたがって、Ｘ線照射野１７の広がりに応じて徐々に断面寸法が大きくなる。
【００１３】
保護カバー２７のＸ線管球１５に近い側の端部には、Ｘ線源側カバー２９の例である板状のフィルタ機能部２６が設けられる。フィルタ機能部２６は、内部カバー２としての機能を有するとともに、軟Ｘ線を減弱するフィルタとしての機能を有する。このような機能を実現するため、フィルタ機能部２６は、軟Ｘ線を減弱する材料によって形成される。なお、このような材料としては、従来公知の各種フィルタと同じ材料が適用できる。一方、保護カバー２７のＸ線検出器１８に近い側の端部には、Ｘ線検出器側カバー２８が設けられる。Ｘ線検出器側カバー２８は、例えば、平板状の構成を有し、Ｘ線検出器１８を嵌め込むことができる開口部が設けられる。なお、保護カバー２７とフィルタ機能部２６およびＸ線検出器側カバー２８とは、それらの間に隙間が存在しないように配置されることが好ましい。また、Ｘ線検出器側カバー２８の開口部にＸ線検出器１８が嵌め込まれた状態で、Ｘ線検出器側カバー２８とＸ線検出器１８との間に隙間が存在しないことが好ましい。
【００１４】
このような構成によれば、保護カバー２７（底板部２７１と側板部２７２）とフィルタ機能部２６とＸ線検出器側カバー２８とによって、ハウジング１１の開口部１２の側が開口する有底の箱状の内部カバー２が構成される。そして、Ｘ線検出器側カバー２８の開口部にＸ線検出器１８が嵌め込まれると、内部カバー２（保護カバー２７、フィルタ機能部２６、Ｘ線検出器側カバー２８）とＸ線検出器１８とによって、ハウジング１１の内周面の全周が覆われる。このため、被検体の乳房１を、ハウジング１１の開口部１２からその内部に挿入すると、被検体の乳房１は、対向して設けられるＸ線管球１５とＸ線検出器１８との間であって、内部カバー２（底板部２７１および側板部２７２）とＸ線検出器１８とに囲まれる領域に収容されることになる。したがって、Ｘ線管球１５とＸ線検出器１８とによって被検体の乳房１のＸ線画像を撮影でき、かつ、被検体の乳房１がハウジング１１の内部に収容される機器等（例えば、後述する電源系２１や制御系２２）に接触することを防止できる。
【００１５】
なお、図１（ａ）に示すように、側板部２７２とフィルタ機能部２６とＸ線検出器側カバー２８とＸ線検出器１８とは、回転円板１４の回転角度に係わらず、回転中心軸Ｏの方向視においてハウジング１１の開口部１２の内周縁の外側に位置する。このような構成によれば、ハウジング１１の開口部１２から被検体の乳房１を挿入した状態において、内部カバー２が回転円板１４とともに回転しても、内部カバー２が被検体の乳房１に接触することが防止される。
【００１６】
このほか、ハウジング１１の内部には、電源系２１や制御系２２などが配置される。電源系２１は、乳房Ｘ線撮影装置１００ａの各部に動作用の電力を供給する電源装置を有する。制御系２２は、乳房Ｘ線撮影装置１００ａの各部を制御する制御装置や、Ｘ線検出器１８が出力するＸ画像信号に所定の処理を施す画像処理装置を有する。なお、制御系２２には、ＣＰＵとＲＯＭとＲＡＭとを有するコンピュータが適用される。ＲＯＭには乳房Ｘ線撮影装置１００ａを制御するためのコンピュータプログラムや、画像処理を行うためのコンピュータプログラムが、あらかじめ格納されている。そして、ＣＰＵは、ＲＯＭに格納されるコンピュータプログラムを読み出し、ＲＡＭをワークエリアとして用いて実行する。これにより、乳房Ｘ線撮影装置１００ａの制御や画像処理が実現する。
【００１７】
次に、第１の実施形態の乳房Ｘ線撮影装置１００ａによる乳房１のＣＢＣＴ撮影動作について説明する。図１（ａ）（ｂ）に示すように、ハウジング１１の中央部に設けられる開口部１２から、ハウジング１１の内部であって内部カバー２により囲まれる領域に、被検体の乳房１を挿入する。この状態では、乳房１は、回転円板１４の回転中心軸Ｏ上およびその近傍に位置するとともに、撮影系であるＸ線管球１５とＸ線検出器１８との間に位置する。そして、制御系２２は回転駆動系１３を制御し、撮影系であるＸ線管球１５とＸ線検出器１８と内部カバー２とが配置されている回転円板１４を、一定速度で右回転または左回転を開始させる。さらに、制御系２２は、回転駆動系１３を制御して回転円板１４を回転させるとともに、Ｘ線管球１５を制御してＸ線管球焦点１６からＸ線照射野１７にＸ線を照射する。Ｘ線管球１５から照射されたＸ線は、フィルタ機能部２６と乳房１とを順次透過して、対向して設けられるＸ線検出器１８に入射する。Ｘ線がフィルタ機能部２６を透過する際には、軟Ｘ線が減弱される。これにより良好なＸ線撮影条件が得られる。
【００１８】
第１の実施形態によれば、内部カバー２は、Ｘ線管球１５およびＸ線検出器１８と一体に回転する構成であるから、回転円板１４が回転しても、内部カバー２とＸ線管球１５およびＸ線検出器１８との位置関係は変化しない。このため、回転円板１４の回転角度によってＸ線の反射や散乱の態様が変化しないから、回転円板１４の回転に伴ってＸ線画像の画質が変動しない。
【００１９】
そして、本実施形態では、保護カバー２７はＸ線照射野１７の外側に設けられているから、回転円板１４が回転しても、保護カバー２７の各部がＸ線管球１５のＸ線照射野１７の内側に入り込まない。したがって、保護カバー２７によりＸ線が吸収されたり、散乱線が発生したりすることがなく、撮影されるＸ線画像の画質の低下を招かない。さらに、保護カバー２７がＸ線照射野１７の内側に入り込むことが無いため、保護カバー２７が、Ｘ線の乱反射や吸収の少ない材料（すなわち、照射されたＸ線に影響を与えない材料）により形成される構成でなくてもよい。したがって、保護カバー２７の材料が限定されなくなる。
【００２０】
また、保護カバー２７の側板部２７２が、平面視においてハウジング１１に設けられる開口部１２の内周縁の外側に位置する構成であれば、保護カバー２７が回転しても、被検体の乳房１が保護カバー２７に接触することがない。
【００２１】
Ｘ線検出器１８は、入射したＸ線を電気信号であるＸ線画像信号に変換する。そして、制御系２２は、この一連の動作を連続して行い、回転円板１４の回転と同期して、所定の間隔でＸ線検出器１８からＸ線画像信号を随時読み出す。その後、制御系２２は、Ｘ線検出器１８から読み出したＸ線画像信号のデータを、回転円板１４の回転角データを用い、立体画像となるように再構成作業を行う。これにより被検体の乳房１の立体画像および断層画像が得られる。なお、立体画像の再構成画像の精度を向上させる方法としては、乳房１の全周にわたって細かいピッチで高速にＸ線画像信号の読み出しを行うことで多くのデータを取得し、これらを再構成するという方法が適用できる。
【００２２】
なお、ＣＢＣＴ撮影動作の際に、ハウジング１１に挿抜可能な保持カバー４１を用いてもよい。保持カバー４１は、Ｘ線の吸収線量や散乱線量の低い材料により形成され、ハウジング１１の開口部１２に挿抜可能な筒状（例えば円筒状）の形状を有する。そして、軸線方向の一端部には、半径方向外側に向かって突出するフランジ４１２が設けられており、このフランジ４１２がハウジング１１の開口部１２の内周縁近傍に係止する。そして、この保持カバー４１をハウジング１１の開口部１２を通じて内部カバー２の内部に挿入し、保持カバー４１の内部に被検体の乳房１を挿入する。このような構成によれば、保持カバー４１によって被検体の乳房１が保持される。
【００２３】
ここで、第１の実施形態の変形例について説明する。図２（ａ）（ｂ）は、第１の実施形態の２つの変形例のそれぞれに係る乳房Ｘ線撮影装置１００ａの構成例を模式的に示す図であり、図１（ａ）に対応する図である。
【００２４】
図２（ａ）に示すように、この変形例に係る乳房Ｘ線撮影装置１００ａは、開口部１２から内部カバー２の内部に挿入された乳房１を撮影する内部監視カメラ７１を有する。そして、使用者（撮影技師）は、内部監視カメラ７１により撮影された画像によって、内部カバー２の内部に挿入された被検体の乳房１の状態を確認できる。なお、内部監視カメラ７１の具体的な構成は限定されるものではなく、公知の各種デジタル方式のカメラが適用できる。
【００２５】
なお、内部監視カメラ７１は、ハウジング１１の内部に挿入された乳房１を撮影できる位置であって、Ｘ線管球１５が照射するＸ線照射野１７の外側に設けられる。すなわち、内部監視カメラ７１は、保護カバー２７と同様に、Ｘ線管球焦点１６とＸ線検出器１８との間に入り込まない位置に設けられる。例えば、保護カバー２７の側板部２７２に取り付けられる。このような構成であると、内部監視カメラ７１によって、Ｘ線管球１５から照射されたＸ線が散乱などすることがない。また、内部監視カメラ７１の取付に側板部２７２を用いることができるから、撮影されるＸ線画像の画質に影響を与えない位置に内部監視カメラ７１を取付ることが容易となる。
【００２６】
また、乳房Ｘ線撮影装置１００ａは、この内部監視カメラ７１により被検体の乳房１を撮影し、立体画像を再構成してもよい。具体的には、乳房Ｘ線撮影装置１００ａのＣＢＣＴ撮影動作において、制御系２２はＸ線管球１５と同様に内部監視カメラ７１を回転円板１４の回転と同期して制御し、被検体の乳房１を複数回にわたって撮影する。そして、制御系２２の画像処理装置は、撮影した乳房１の画像データと回転円板１４の回転角度のデータから、乳房１の立体画像を再構成する。
【００２７】
図２（ｂ）に示すように、保護カバー２７に開口部２７３が設けられており、この開口部２７３を開閉可能に塞ぐ開閉カバー５２が設けられる構成であってもよい。この開閉カバー５２は、蝶番５３によって保護カバー２７に回転可能（開閉可能）に連結されている。また、固定ノブ５４によって、開閉カバー５２を固定して閉じた状態、すなわち、保護カバー２７の開口部２７３を塞いでいる状態に維持できる。使用者（撮影技師）は、撮影時において、この開閉カバー５２を開放し、保護カバー２７の開口部２７３を通じて、被検体の乳房１の位置調整などを行うことができる。前述のとおり、保護カバー５１はＸ線照射野１７の外側に設けられるから、保護カバー２７に設けられる開口部２７３およびこの開口部２７３を開閉可能に塞ぐ開閉カバー５２が、撮影されるＸ線画像の画質に影響を与えない。
【００２８】
次に、本発明の第２〜第４の各実施形態について説明する。なお、以下に示す第２〜４の各実施形態では、主に第１の実施形態と異なる構成について説明し、第１の実施形態と共通する構成の説明を省略する。また、第２〜４の各実施形態の乳房Ｘ線撮影装置１００ｂ，１００ｃ，１００ｄによる乳房１のＣＢＣＴ撮影動作は、第１の実施形態と同様であるため説明を省略する。そして、以下の第２〜第４の各実施形態によれば、第１の実施形態と同様の効果を奏することができる。
【００２９】
（第２の実施形態）
図３（ａ）は、本発明の第２の実施形態の乳房Ｘ線撮影装置１００ｂの構成例を示す模式図であり、図１（ａ）に対応する図である。第１の実施形態の乳房Ｘ線撮影装置１００ａは、内部カバー２のＸ線源側カバー２９がフィルタ機能部２６であり、このフィルタ機能部２６が軟Ｘ線を減弱する構成である。すなわち、第１の実施形態では、内部カバー２の一部が軟Ｘ線を減弱するフィルタの機能を包含する。ただし、撮影する乳房１のサイズに応じてＸ線管球１５の管電圧を変更することがあり、管電圧を変更すると軟Ｘ線も変化する。このため、管電圧の変更に合わせてフィルタ３１の厚さを変更したいという要望がある。そこで、第２の実施形態では、Ｘ線源側カバー２９それ自体は軟Ｘ線を減弱するフィルタとしての機能を有しておらず、Ｘ線源側カバー２９に着脱可能なフィルタ３１を用いる。
【００３０】
例えば、保護カバー２７のＸ線管球１５の側の端部に、第１の実施形態のフィルタ機能部２６に代えて、Ｘ線の吸収線量や散乱線量の低い材料により形成される板状のＸ線源側カバー２９が設けられる。そして、このＸ線源側カバー２９は、被検体の乳房１が挿入される領域の側の面にフィルタ３１を着脱可能に構成される。なお、フィルタ３１を着脱可能にするための構成は、特に限定されるものではない。例えば、Ｘ線源側カバー２９に開口部が設けられ、この開口部に板状のフィルタ３１を嵌め込むことができる構成が適用できる。また、板状のＸ線源側カバー２９にフィルタ３１を重ねて配置し、図略のクランプなどによって着脱可能に固定する構成であってもよい。このような構成によれば、使用者（撮影技師等）は、Ｘ線管球１５の管電圧などの撮影条件に合わせてフィルタ３１を選択して交換できる。そして、フィルタ３１が、被検体の乳房１が挿入される領域の側の面に着脱可能であると、ハウジング１１の開口部１２を通じてフィルタ３１の着脱（交換）が可能となる。したがって、フィルタ３１の着脱（交換）が容易である。
【００３１】
（第３の実施形態）
図３（ｂ）は、本発明の第３の実施形態の乳房Ｘ線撮影装置１００ｃの構成例を示す模式図であり、図１（ａ）に対応する図である。第１の実施形態は、内部カバー２であるＸ線検出器側カバー２８の開口部にＸ線検出器１８が設けられ、Ｘ線検出器１８によってＸ線検出器側カバー２８の開口部を塞ぐ構成である。これに対して、第３の実施形態では、内部カバー２であるＸ線検出器側カバー２８の開口部には、Ｘ線の散乱線を除去するグリッド３２が配置され、グリッド３２によってこの開口部が塞がれる構成である。そして、グリッド３２の外側（Ｘ線管球１５に対向する側とは反対側）に、Ｘ線検出器１８が配置される。このため、このグリッド３２によって散乱線が除去されたＸ線がＸ線検出器１８に入射する。これにより、Ｘ線の散乱線を除去してコントラストを高め、高画質のＸ線画像を得ることができる。なお、グリッド３２は、Ｘ線の散乱線を除去できるものであればよく、具体的な構成は限定されない。グリッド３２には、公知のグリッドが適用できる。
【００３２】
なお、乳房Ｘ線撮影装置が、第２の実施形態の構成と第３の実施形態の構成の両方の構成を有していてもよい。すなわち、保護カバー２７がフィルタ３１を着脱可能なＸ線源側カバー２９を有しており、かつ、Ｘ線検出器側カバー２８にグリッド３２が配置される構成であってもよい。このような構成であっても、第１の実施形態と同様の効果を奏することができる。また、第２の実施形態と第３の実施形態とでは、開閉カバー５２と内部監視カメラ７１が設けられない構成を示したが、このような構成に限定されない。第２の実施形態と第３の実施形態に係る乳房Ｘ線撮影装置１００ｂ，１００ｃは、開閉カバー５２と内部監視カメラ７１の少なくとも一方が設けられる構成であってもよい。また、第１の実施形態と同様に、挿抜可能な保持カバー４１を用いる構成であってもよい。
【００３３】
（第４の実施形態）
図３（ｃ）は、本発明の第４の実施形態の乳房Ｘ線撮影装置１００ｄの構成例を模式的に示す図であり、第１の実施形態の図１（ａ）に対応する図である。第１の実施形態では、内部カバー２である保護カバー２７は、平板状の底板部２７１と側板部２７２とを有し、ハウジング１１の開口部１２から挿入された被検体の乳房１の全周を平面（平板）で覆う（囲む）構成である。これに対して、第４の実施形態では、図３（ｃ）に示すように、内部カバー２として、円筒型の保護カバー５１が適用される。この円筒型の保護カバー５１は、回転円板１４の回転中心軸Ｏに同軸に配置されており、撮影中心（平面視における回転円板１４の回転中心軸Ｏ）から略均等な距離の円筒で囲うように構成したものである。また、この円筒型の保護カバー５１は、Ｘ線の散乱や吸収の少ない材料により形成される。そして、この保護カバー５１も、第１の実施形態と同様に回転円板１４に取り付けられており、回転円板１４と一体に回転する。なお、図３（ｃ）に示すように、平面視（回転円板１４の回転中心軸Ｏの軸線方向視において）円筒型の保護カバー５１の内周面は、ハウジング１１の開口部１２の内周縁よりも外側に位置するように設けられる。このような構成であっても、回転円板１４が回転しても、保護カバー５１とＸ線管球１５およびＸ線検出器１８との位置関係が変化しないから、撮影されるＸ線画像の画質が変動しない。このように、第１の実施形態と同様の効果を奏することができる。
【００３４】
なお、保護カバー５１は、円周方向の全周にわたって切れ目がない構成でなくてもよい。例えば、図３（ｃ）に示すように、Ｘ線検出器１８が配置される位置には開口部が形成される構成であってもよい。この場合、保護カバー５１の開口部にＸ線検出器１８が配置されることによってこの開口部が塞がれる。このため、ハウジング１１の開口部１２から挿入された被検体の乳房１は、保護カバー５１とＸ線検出器１８とによって、その全周が覆われる。
【００３５】
同様に、保護カバー５１には、Ｘ線管球１５にＸ線照射野１７に近接して対向する部分（回転中心軸Ｏを挟んでＸ線検出器１８に対向する部分）に、Ｘ線照射野１７と干渉しないように開口部を設け、この開口部にフィルタ３１が設けられる構成であってもよい。この場合には、この開口部がフィルタ３１によって塞がれるため、被検体の乳房１は、保護カバー５１とＸ線検出器１８とフィルタ３１とによって、その全周が覆われる。このような開口部が設けられる構成であれば、保護カバー５１には、Ｘ線管球１５が照射するＸ線が透過する部分が存在しなくなる。このため、第１の実施形態と同様に、保護カバー５１の材質の限定がなくなる。
【００３６】
また、図３（ｃ）に示すように、乳房Ｘ線撮影装置１００ｄが内部監視カメラ７１を有する構成であってもよい。また、保護カバー５１に、開口部２７３と、この開口部２７３を開閉可能に覆う開閉カバー５２が設けられる構成であってもよい。この場合には、内部監視カメラ７１と、開口部２７３とこの開口部２７３を開閉可能に塞ぐ開閉カバー５２とは、Ｘ線照射野１７の外側に設けられる。これにより、第１の実施形態と同様の効果を奏する。なお、図３（ｃ）では、内部監視カメラ７１と開閉カバー５２の両方が設けられる構成を示すが、このような構成に限定されない。例えば、乳房Ｘ線撮影装置１００ｄが、内部監視カメラ７１と開閉カバー５２のいずれか一方のみを有する構成であってもよく、いずれも有さない構成であってもよい。また、第１の実施形態と同様に、挿抜可能な保持カバー４１を用いる構成であってもよい。
【００３７】
以上、本発明の好ましい実施形態について説明したが、本発明はこれらの実施形態に限定されず、その要旨の範囲内で種々の変形および変更が可能である。
【図１】
2017012609.tif 000003
【図２】
2017012609.tif 000004
【図３】
2017012609.tif 000005